【手続補正書】
【提出日】平成18年6月7日(2006.6.7)
【手続補正１】
【補正対象書類名】特許請求の範囲
【補正対象項目名】全文
【補正方法】変更
【補正の内容】
【特許請求の範囲】
【請求項１】
コーディングした音響情報を処理する方法であって：
コーディングされた音響情報を受け取って、オーディオ信号のすべてのスペクトル内容ではなく、いくつかのスペクトル内容を表すサブバンド信号を前記音響情報から得；
前記サブバンド信号を調べて、精神音響マスキング効果、調性、及び／又は一時性形状のセットのうちのいずれか１つの特定である前記オーディオ信号の特性を得； 
前記オーディオ信号の前記特性を有する合成スペクトル成分を生成し；
前記合成スペクトル成分を前記サブバンド信号と統合して１セットの変更サブバンド信号を生成し；
前記１セットの変更サブバンド信号に分析フィルタバンクを適用することによって前記音響情報を生成する；
ことを含んでなる方法。
【請求項２】
請求項１の方法であって、前記特性は一時性形状であり、方法は、スペクトル成分を生成しかつ該生成されたスペクトル成分を前記一時性形状の周波数領域表示に畳み込むことによって前記合成スペクトル成分を生成して前記一時性形状を得る方法。
【請求項３】
請求項１又は２の方法であって、前記サブバンド信号の少なくともいくつかの成分の自己相関関数を計算することによって前記一時性形状を得る方法。
【請求項４】
請求項１の方法であって、前記特性は一時性形状であり、方法は、スペクトル成分を生成しかつ該生成されたスペクトル成分の少なくともいくつかにフィルタを適用することによって前記合成スペクトル成分を生成して前記一時性形状を得る方法。
【請求項５】
請求項４の方法であって、前記コーディングされた情報から制御情報を得て、該制御情報に応答してフィルタを適合させる方法。
【請求項６】
請求項１乃至５のいずれか１つに記載の方法であって、前記合成スペクトル成分を前記サブバンド信号の成分に合併することによって前記１セットの変更サブバンド信号を生成する方法。
【請求項７】
請求項１乃至５のいずれか１つに記載の方法であって、前記合成スペクトル成分を前記サブバンド信号のそれぞれの成分に結合することによって前記１セットの変更サブバンド信号を生成する方法。
【請求項８】
請求項１乃至５のいずれか１つに記載の方法であって、前記サブバンド信号のそれぞれの成分に代えて前記合成スペクトル成分を用いることによって前記１セットの変更サブバンド信号を生成する方法。
【請求項９】
請求項１乃至５のいずれか１つに記載の方法であって：
スペクトルの第１部分における１個以上のサブバンド信号の成分を調べることによって前記オーディオ信号の前記特性を得；
スペクトルの前記第１部分の前記サブバンド信号の１つ以上の成分をスペクトルの第２部分にコピーして前記合成サブバンド信号を形成しかつ前記合成サブバンド信号が前記オーディオ信号の前記特性を有するように前記コピーされた成分を変更することによって前記合成スペクトル成分を生成する；
方法。
【請求項１０】
装置で読み込み可能であり、コーディングされた音響情報を処理する方法を実行するために前記装置で実行可能な命令プログラムを伝えるメディアであって、前記方法は以下の行為を実行するステップを含んでなるメディア：
前記コーディングされた音響情報を受け取って、オーディオ信号のすべてのスペクトル内容ではなく、いくつかのスペクトル内容を表すサブバンド信号を前記コーディングされた音響情報から得；
前記サブバンド信号を調べて、精神音響マスキング効果、調性、及び／又は一時性形状のセットのうちのいずれか１つの特定である前記オーディオ信号の特性を得；
前記オーディオ信号の特性を有する合成スペクトル成分を生成し；
前記合成スペクトル成分を前記サブバンド信号と統合して１セットの変更サブバンド信号を生成し；
前記１セットの変更サブバンド信号に分析フィルタバンクを適用することによって前記音響情報を生成する。
【請求項１１】
請求項１０のメディアであって、前記特性は一時性形状であり、前記方法は、合成スペクトル成分を生成して該生成されたスペクトル成分を前記一時性形状の周波数領域表示に畳み込むことによって前記合成スペクトル成分を生成して、前記一時性形状を得るメディア。
【請求項１２】
請求項１１のメディアであって、前記方法は、サブバンド信号の少なくともいくつかの成分の自己相関関数を計算することによって前記一時性形状を得るメディア。
【請求項１３】
請求項１０のメディアであって、前記特性は一時性形状であり、前記方法は、スペクトル成分を生成して該生成されたスペクトル成分の少なくともいくつかにフィルタを適用することによって前記合成スペクトル成分を生成して前記一時性形状を得るメディア。
【請求項１４】
請求項１３のメディアであって、前記方法は前記コーディングされた情報から制御情報を得て、該制御情報に応答して前記フィルタを適合させるメディア。
【請求項１５】
請求項１０乃至１４のいずれか１つに記載のメディアであって、信号方法が、合成スペクトル成分をサブバンド成分に合併することによって、変更されたサブバンド信号のセットを生成するメディア。
【請求項１６】
請求項項１０乃至１４のいずれか１つに記載のメディアであって、前記方法は、前記合成スペクトル成分を前記サブバンド信号のそれぞれの成分に結合することによって前記１セットの変更サブバンド信号を生成するメディア。
【請求項１７】
請求項１０乃至１４のいずれか１つに記載のメディアであって、前記方法は、前記サブバンド信号のそれぞれの成分に代えて前記合成されたスペクトル成分を用いることによって前記１セットの変更サブバンド信号を生成するメディア。
【請求項１８】
請求項１０乃至１４のいずれか１つに記載のメディアであって、前記方法は：
スペクトルの第１部分の１つ以上のサブバンド信号の成分を調べることによって前記オーディオ信号の前記特性を得；
スペクトルの前記第１部分の前記サブバンド信号の１つ以上の成分をスペクトルの第２部分にコピーして合成サブバンド信号を形成しかつ該合成サブバンド信号が前記オーディオ信号の前記特性を有するように前記コピーされた成分を変更することによって、前記合成スペクトル成分を生成する；
メディア。
【請求項１９】
コーディングした音響情報を処理する装置であって、
前記コーディングされた音響情報を受け取る入力端子と、メモリと、前記入力端子と前記メモリに結合された処理サーキットリーを含んでなり、
前記処理サーキットリーは：
前記コーディングされた音響情報を受け取って、オーディオ信号のすべてのスペクトル内容ではなく、いくつかのスペクトル内容を表すサブバンド信号を前記コーディングされた音響情報から得；
前記サブバンド信号を調べて、精神音響マスキング効果、調性、及び／又は一時性形状のセットのうちのいずれか１つの特定である前記オーディオ信号の特性を得；
前記オーディオ信号の前記特性を有する合成スペクトル成分を生成し；
前記合成スペクトル成分をサブバンド信号と統合して、１セットの変更サブバンド信号を生成し；
前記１セットの変更サブバンド信号に分析フィルタバンクを適用することによって音響情報を生成する；
装置。
【請求項２０】
請求項１９の装置であって、前記特性は一時性形状であり、前記処理サーキットリーは、合成スペクトル成分を生成し該生成されたスペクトル成分を前記一時性形状の周波数領域表示に畳み込むことによって前記合成スペクトル成分を生成して前記一時性形状を得る装置。
【請求項２１】
請求項２０の装置であって、前記処理サーキットリーは、前記サブバンド信号の少なくともいくつかの成分の自己相関関数を計算することによって前記一時性形状を得る装置。
【請求項２２】
請求項１９の装置であって、前記特性は一時性形状であり、前記処理サーキットリーは、合成スペクトル成分を生成し該生成されたスペクトル成分の少なくともいくつかにフィルタを適用することによって前記合成スペクトル成分を生成して、前記一時性形状を得る装置。
【請求項２３】
請求項２２の装置であって、前記処理サーキットリーは、前記コーディングされた情報から制御情報を得、該制御情報に応答して前記フィルタを適合させる装置。
【請求項２４】
請求項１９乃至２３のいずれか１つに記載の装置であって、前記処理サーキットリーは、前記合成スペクトル成分を前記サブバンド信号の成分に合併することによって前記１セットの変更サブバンド信号を生成する装置。
【請求項２５】
請求項項１９乃至２３のいずれか１つに記載の装置であって、前記処理サーキットリーは、前記合成スペクトル成分を前記サブバンド信号のそれぞれの成分に結合することによって前記１セットの変更サブバンド信号を生成する装置。
【請求項２６】
請求項１９乃至２３のいずれか１つに記載の装置であって、前記処理サーキットリーは前記サブバンド信号のそれぞれの成分に代えて前記合成されたスペクトル成分を用いることによって前記１セットの変更サブバンド信号を生成するように設けられている装置。
【請求項２７】
請求項項１９乃至２３のいずれか１つに記載の装置であって、前記処理サーキットリーは：
スペクトルの第１部分における１個以上のサブバンド信号の成分を調べることによって前記オーディオ信号の前記特性を得；
スペクトルの前記第１部分の前記サブバンド信号の１つ以上の成分をスペクトルの第２部分にコピーして前記合成サブバンド信号を形成しかつ前記合成サブバンド信号が前記オーディオ信号の前記特性を有するように前記コピーされた成分を変更することによって前記合成スペクトル成分を生成する；
装置。